(57)【要約】  浄水洗濯機における浄水装置の保守方法およびその洗濯機において、該洗濯機は、洗濯ドラム、循環水管路、排水管路および膜モジュールを含む。前記膜モジュールは取水口（１）、出口（４）および汚水口（３）を有し、前記膜モジュールは取水口（１）および出口（４）を介して循環水管路に接続され、前記膜モジュールは汚水口（３）を介して排水管路に接続される。前記膜モジュールに、取水して膜モジュールを洗浄する水洗口（２）がさらに設置され、前記水洗口（２）は洗濯機の取水口（１）と連通する。浄水装置の保守方法は、浄水装置が浄水コマンドを受信すること；洗浄水が膜モジュールに流入するように制御すること；浄水装置が１サイクル動作すると、浄水を停止し、洗浄水が膜モジュールに流入するように制御すること；を含む。上記技術案は、既存の浄水洗濯機におけるろ過膜モジュールの洗浄の問題を解決し、さらに、ろ過膜モジュールの洗浄方法を簡略化し、ろ過膜モジュールの洗浄に使用する水を節約し、浄水洗濯機の生産コストを低下させる。【選択図】図１
2018533413.tif 000002
【特許請求の範囲】
【請求項１】
浄水洗濯機における浄水装置の保守方法であって、
浄水装置が洗浄コマンドを受信して、浄水を一時停止する工程と；
洗浄水が膜モジュールに流入するように制御して、１回目の膜モジュール洗浄を実行する工程と；
浄水装置が引き続き浄水し、１サイクル動作すると、浄水を停止し、洗浄水が膜モジュールに流入するように制御して、２回目の膜モジュール洗浄を実行する工程と；を含み、
このうち、２回の膜モジュール洗浄の所定時間は、浄水装置が１サイクル動作する時間と関係することを特徴とする方法。
【請求項２】
浄水装置の浄水時、前記膜モジュールの膜通過量を取得する工程と；
前記膜モジュールの膜通過量が所定値より低いとき、浄水装置は洗浄コマンドを受信して、浄水を一時停止する工程と；
洗濯機の取水口および前記膜モジュールを連通し、洗浄水が膜モジュールに流入するように制御して、１回目の膜モジュール洗浄を実行する工程と；
をさらに含むことを特徴とする、請求項１に記載の浄水洗濯機における浄水装置の保守方法。
【請求項３】
前記１回目の膜モジュール洗浄の所定時間は第１時間であり、前記２回目の膜モジュール洗浄の所定時間は第２時間であり、前記第１時間および前記第２時間は、浄水装置が１サイクル動作する第３時間に基づいて設定し、前記第１時間は前記第２時間より長いか、または等しいことを特徴とする、請求項１に記載の浄水洗濯機における浄水装置の保守方法。
【請求項４】
前記第１時間および前記第３時間の関係は、第３時間が第１時間の４０倍に等しく、前記第２時間および前記第３時間の関係は、第３時間が第２時間の８０倍に等しいことを特徴とする、請求項３に記載の浄水洗濯機における浄水装置の保守方法。
【請求項５】
前記第３時間は、浄水の前提条件を満たす膜モジュールの通過量および洗濯機の取水量に基づいて設定することを特徴とする、請求項１に記載の浄水洗濯機における浄水装置の保守方法。
【請求項６】
浄水装置が浄水を実行する前に、先に洗濯水の汚濁度を測定し、前記汚濁度が所定値より高いとき、洗濯水を交換する工程をさらに含み、前記汚濁度の所定値は、浄水装置が１サイクル動作する過程で、膜モジュールに２回以上の詰まりが生じないことを保証するものであることを特徴とする、請求項１に記載の浄水洗濯機における浄水装置の保守方法。
【請求項７】
洗濯ドラム、循環水管路、排水管路および膜モジュールを含み、前記膜モジュールは取水口、出口、汚水口を有し、前記膜モジュールは取水口および出口を介して循環水管路に接続され、前記膜モジュールは汚水口を介して排水管路に接続される、請求項１〜６のいずれか１項に記載の浄水洗濯機における浄水装置の保守方法を採用した洗濯機であって、前記膜モジュールに、取水して膜モジュールを洗浄する水洗口がさらに設置され、前記水洗口は洗濯機の取水口と連通することを特徴とする洗濯機。
【請求項８】
前記膜モジュールの出口に、膜モジュールの膜通過量を自動的に測定する流量監視装置が取り付けられることを特徴とする、請求項７に記載の洗濯機。
【請求項９】
洗濯水を測定する汚濁度測定装置をさらに含むことを特徴とする、請求項８に記載の洗濯機。
【請求項１０】
制御装置をさらに含み、前記制御装置は、前記膜通過量データおよび前記洗濯水の汚濁度データを受信して、前記洗濯ドラムの取水口から前記膜モジュールに向かって洗浄水が流入するように制御することを特徴とする、請求項９に記載の洗濯機。
【発明の詳細な説明】
【技術分野】
【０００１】
本発明は洗濯機に関し、特に浄水洗濯機における浄水装置の保守方法およびその洗濯機に関する。
【背景技術】
【０００２】
既存の洗濯機の洗濯時における動作順序は、取水、洗濯−脱水−排水、数回のすすぎ−脱水−排水などを通常含む。動作過程において、一般的に洗濯廃水を洗濯機外に直接排出し、再びきれいな水を大量に注入して衣類を複数回すすぐため、洗濯過程全体で水消費量は比較的多くなる。
【０００３】
洗濯機の節水の目的を実現するため、既存技術において、ろ過膜モジュールを使用して、使用済みの洗濯水を浄化し、循環使用する案を示しており、例えば、すすぎプログラムの終了後に排出される洗濯水をろ過した後に循環使用するなどである。しかし、洗濯水を循環ろ過するろ過膜モジュールを一定期間動作させると、汚れが詰まる可能性があり、ろ過膜モジュールの動作の信頼性に影響を及ぼし、洗濯水のろ過効果が低下する。さらに、ろ過膜モジュールを速やかに洗浄しないために、汚れが長期的に残り、ろ過膜モジュールの洗浄が困難になり、ろ過膜モジュールの使用寿命を延長させるのに不利である。
【０００４】
したがって、既存技術において、ろ過膜モジュールの洗浄を示している。中国発明特許出願番号第２０１３１０３２０２４３．９号明細書は、ろ過膜モジュールに対して洗浄剤による洗浄および空気洗浄を用いて、洗浄、保守する方法を開示しており、該方法は、ろ過膜モジュールのろ過膜を妨げる汚れを除去する目的を実現することができる。該方法は、洗浄剤でろ過膜モジュールを洗浄することを基にして、ろ過膜モジュールの空気洗浄も行う。ろ過膜モジュールを洗浄する水を節約することを目的とするが、該ろ過膜モジュールの洗浄方法は複雑で、該洗浄方法を採用した洗濯機の生産コストは高い。
【０００５】
このことを考慮して、特に本発明を示す。
【先行技術文献】
【特許文献】
【０００６】
【特許文献１】中国発明特許出願番号第２０１３１０３２０２４３．９号明細書
【発明の概要】
【発明が解決しようとする課題】
【０００７】
本発明が解決しようとする技術的問題は、既存技術の不足を克服することであり、浄水洗濯機における浄水装置の保守方法およびその洗濯機を提供する。既存の浄水洗濯機におけるろ過膜モジュールの洗浄の問題を解決し、さらに、ろ過膜モジュールの洗浄方法を簡略化し、ろ過膜モジュールの洗浄に使用する水を節約し、浄水洗濯機の生産コストを低下させる。
【課題を解決するための手段】
【０００８】
上記技術的問題を解決するため、本発明が採用する技術案の基本的構想は以下の通りである。
浄水洗濯機における浄水装置の保守方法は、浄水装置が洗浄コマンドを受信して、浄水を一時停止する工程と；洗浄水が膜モジュールに流入するように制御して、１回目の膜モジュール洗浄を実行する工程と；浄水装置が引き続き浄水し、１サイクル動作すると、浄水を停止し、洗浄水が膜モジュールに流入するように制御して、２回目の膜モジュール洗浄を実行する工程と；を含む。このうち、２回の膜モジュール洗浄の所定時間は、浄水装置が１サイクル動作する時間と関係する。
【０００９】
さらに、浄水装置の浄水時、膜モジュールの膜通過量を取得する。膜モジュールの膜通過量が所定値より低いとき、浄水装置は洗浄コマンドを受信して、浄水を一時停止する。洗濯機の取水口および膜モジュールを連通し、洗浄水が膜モジュールに流入するように制御して、１回目の膜モジュール洗浄を実行する。
【００１０】
さらに、１回目の膜モジュール洗浄の所定時間は第１時間であり、２回目の膜モジュール洗浄の所定時間は第２時間である。第１時間および第２時間は、浄水装置が１サイクル動作する第３時間に基づいて設定し、第１時間は第２時間より長いか、または等しい。
【００１１】
さらに、第１時間および第３時間の関係は、第３時間が第１時間の４０倍に等しく、第２時間および第３時間の関係は、第３時間が第２時間の８０倍に等しい。
【００１２】
さらに、第３時間は、浄水の前提条件を満たす膜モジュールの通過量および洗濯機の取水量に基づいて設定する。
【００１３】
さらに、浄水装置が浄水を実行する前に、先に洗濯水の汚濁度を測定し、汚濁度が所定値より高いとき、洗濯水を交換する。汚濁度の所定値は、浄水装置が１サイクル動作する過程で、膜モジュールに２回以上の詰まりが生じないことを保証するものである。
【００１４】
上記浄水洗濯機における浄水装置の保守方法を採用した洗濯機は、洗濯ドラム、循環水管路、排水管路および膜モジュールを含む。膜モジュールは取水口、出口および汚水口を有し、膜モジュールは取水口および出口を介して循環水管路に接続され、膜モジュールは汚水口を介して排水管路に接続される。膜モジュールに、取水して膜モジュールを洗浄する水洗口がさらに設置され、水洗口は洗濯機の取水口と連通する。
【００１５】
さらに、膜モジュールの出口に、膜モジュールの膜通過量を自動的に測定する流量監視装置が取り付けられる。
【００１６】
さらに、洗濯水を測定する汚濁度測定装置をさらに含む。
【００１７】
さらに、制御装置をさらに含む。制御装置は、膜通過量データおよび洗濯水の汚濁度データを受信して、洗濯ドラムの取水口から膜モジュールに向かって洗浄水が流入するように制御する。
【００１８】
本発明の浄水洗濯機における浄水装置の保守方法は、次の通りである。浄水装置が洗浄コマンドを受信して、浄水を一時停止する；洗浄水が膜モジュールに流入するように制御して、１回目の膜モジュール洗浄を実行する；１回目の洗浄が終了すると、浄水装置は引き続き浄水し、浄水装置が１サイクル動作すると、浄水を停止し、洗浄水が膜モジュールに流入するように制御して、２回目の膜モジュール洗浄を実行する。このうち、２回の膜モジュール洗浄の所定時間は、浄水装置が１サイクル動作する時間と関係する。さらに、浄水過程で膜モジュールの膜通過量を測定し、膜通過量が所定値まで低下したとき、膜モジュールはろ過を停止し、浄水を停止する。膜モジュールを洗浄する洗浄水は、膜モジュールに設けた水洗口から膜モジュールに流入し、膜モジュールのろ過膜を妨げる汚れを除去する。本発明の浄水洗濯機における浄水装置の保守方法は、浄水装置が１サイクル動作する間に、浄水装置の膜モジュールを２回洗浄する。このうち、１回目の膜モジュール洗浄における所定の洗浄時間は、２回目の膜モジュール洗浄における所定の洗浄時間より長い。上記技術案を採用すると、本発明は既存技術と比較して、以下の有益な効果を有する。
【発明の効果】
【００１９】
浄水過程で膜モジュールの膜通過量を測定し、膜通過量が所定値まで低下したときと、浄水装置が１サイクル動作した後とに、それぞれ膜モジュールを洗浄する。速やかな膜モジュールの洗浄を実現することができ、膜モジュールが一定期間動作した後、汚れが詰まるのを防止する。これにより膜モジュールの動作が信頼でき、洗濯水のろ過効果を高め、さらに、浄水後の汚れが残るため、膜モジュールの洗浄が困難になる問題を防止した。
【００２０】
浄水装置が動作を開始してから、１回目の膜モジュール洗浄までの時間は、膜モジュールがろ過する洗濯機の汚れは比較的多い。ろ過時間が長くなるのに伴い、洗濯水中の汚れは次第に減少するため、１回目の膜モジュール洗浄における所定の洗浄時間は、浄水装置が１サイクル動作した後の膜モジュール洗浄における所定の洗浄時間より長く、充分に膜モジュールの汚れを洗い流すことができ、膜モジュールの性能をより効果的に保守する。他に、水資源の浪費を効果的に防止することができ、膜モジュールを洗浄する効果を達成すると同時に、水の使用がより少ない。膜モジュールの水洗口は特別に設置した水洗口であるため、出口と共用しない。このように膜モジュールの洗浄がより充分であることを保証することができ、より少ない水でより良好な洗浄効果を達成し、ろ過膜モジュールの洗浄に使用する水をさらに節約する。
【００２１】
膜モジュールの洗浄過程で空気洗浄を行わず、ろ過膜モジュールの洗浄方法が複雑であるのを簡略化し、さらに該方法を採用した洗濯機の生産コストを低下させた。
【００２２】
以下、図を組み合わせて、本発明を実施するための形態について、さらに詳細に説明する。
【図面の簡単な説明】
【００２３】
【図１】図１は、本発明の実施例で提供する浄水洗濯機における浄水装置の保守方法のフローチャートである。
【図２】図２は、本発明の実施例１で提供する浄水洗濯機における浄水装置の保守方法のフローチャートである。
【図３】図３は、本発明の実施例１で提供する浄水洗濯機における浄水装置の保守方法のフローチャートである。
【図４】図４は、本発明の実施例で提供する浄水洗濯機における浄水装置の膜モジュールの構造概要図である。
【発明を実施するための形態】
【００２４】
本発明の実施例の目的、技術案および利点をより明確にするため、以下、本発明の実施例中の図を組み合わせて、実施例中の技術案について明確、完全に説明する。以下の実施例は本発明を説明するものであり、本発明の範囲を限定するものではない。
【００２５】
図１に示すように、本発明の実施例で提供する浄水洗濯機における浄水装置の保守方法は以下の工程を含む。
工程Ｓ１０１：浄水装置が洗浄コマンドを受信して、浄水を一時停止する。
【００２６】
工程Ｓ１０２：洗浄水が膜モジュールに流入するように制御して、１回目の膜モジュール洗浄を実行する。膜モジュールはろ過を停止し、膜モジュールを洗浄する洗浄水が膜モジュールに流入するように制御し、膜モジュールのろ過膜を妨げる汚れを除去する。
【００２７】
工程１０３：浄水装置は引き続き浄水し、浄水装置が１サイクル動作すると、浄水を停止し、膜モジュールはろ過を停止する。膜モジュールを洗浄する洗浄水が再度膜モジュールに流入するように制御して、２回目の膜モジュール洗浄を実行し、膜モジュールのろ過膜を妨げる汚れを再度除去する。
【００２８】
浄水装置が動作する１サイクルにおいて、膜モジュールが洗濯水をろ過するのに伴って、汚れが膜モジュールに多く蓄積するほど、ろ過時間は長くなり、膜モジュールに詰まりが生じる可能性がある。上記保守方法は、浄水装置が１サイクル動作すると、膜モジュールを１回洗浄することを基にし、浄水過程でも膜モジュールを洗浄し、膜モジュールを速やかに洗浄することができる。浄水過程で膜モジュール上の汚れが過度に多く、さらには詰まりが生じるのを防止し、膜モジュールの性能を効果的に保守することができる。
【００２９】
このうち、１回目の膜モジュール洗浄における所定の第１時間、および浄水装置が１サイクル動作した後の２回目の膜モジュール洗浄における所定の第２時間の長さは、いずれも浄水装置が１サイクル動作する第３時間の長さに基づいて設定する。
【００３０】
説明すべきこととして、上記浄水装置が１サイクル動作するというのは、浄水洗濯機の膜モジュールにおける固定の循環浄水時間を浄水装置が動作する１サイクルとする。このうち、膜モジュールにおける固定の循環浄水時間は、浄水洗濯の前提条件を満たすことができる膜モジュールの通過量、洗濯取水量に基づいて算出したものである。
【実施例】
【００３１】
実施例１
図２に示すように、上記実施方式を基にして、本発明の実施例１に記載する浄水洗濯機における浄水装置の保守方法は、浄水装置の浄水時、前記膜モジュールの膜通過量を取得する工程と；膜モジュールの膜通過量が所定値より低いとき、浄水装置が洗浄コマンドを受信して、浄水を一時停止する工程と；洗濯機の取水口および膜モジュールを連通し、洗浄水が膜モジュールに流入するように制御して、１回目の膜モジュール洗浄を実行する工程Ｓ１０６とをさらに含む。
【００３２】
本実施例の浄水洗濯機における浄水装置の保守方法は、以下の通りである。
まず、浄水装置の浄水時、前記膜モジュールの膜通過量を取得する工程１０４を実行する。
続いて、膜通過量が所定値より低いかどうかを判断する工程１０５を実行する。
所定値より低い場合、浄水装置が洗浄コマンドを受信して、浄水を一時停止する工程１０６を実行する。
続いて、洗濯機の取水口および前記膜モジュールを連通し、洗浄水が膜モジュールに流入するように制御して、１回目の膜モジュール洗浄を実行する工程１０７を実行する。
所定値より低くない場合、浄水装置は引き続き浄水し、浄水装置が１サイクル動作すると、浄水を停止し、洗浄水が膜モジュールに流入するように制御して、２回目の膜モジュール洗浄を実行する工程１０３を実行する。
【００３３】
図３に示すように、本発明の実施例１のさらに好ましい実施方式として、浄水洗濯機における浄水装置の保守方法は具体的に以下の通りである。
まず、浄水装置の浄水時、前記膜モジュールの膜通過量を取得する工程１０４を実行する；続いて、膜通過量が所定値まで低下したとき、浄水装置が洗浄コマンドを受信して、浄水を停止する工程１０８を実行する；続いて、洗濯機の取水口および膜モジュールを連通し、洗浄水が膜モジュールに流入するように制御して、１回目の膜モジュール洗浄を実行する工程１０７を実行する；続いて、浄水装置は引き続き浄水し、浄水装置が１サイクル動作すると、浄水を停止し、洗浄水が膜モジュールに流入するように制御して、２回目の膜モジュール洗浄を実行する工程１０３を実行する。
【００３４】
さらに、浄水装置の浄水時、膜モジュールの膜通過量を自動的に測定して取得し、さらに膜通過量値を１つ予め設定する。浄水の進行に伴い、膜モジュールを妨げる汚れは多くなり、膜通過量は次第に低下する。膜モジュールの膜通過量が所定の膜通過量値まで低下したことを自動的に検出したとき、時間点Ａと示され、このとき、浄水を一時停止し、膜モジュールの１回目の洗浄を行う。１回目の膜モジュール洗浄の所定時間は第１時間であり、第１時間はｔＡで表示する。洗浄が終了すると、膜モジュールを再度起動し、浄水装置は引き続き浄水する。膜モジュールが１サイクル動作したとき、時間点Ｂと示され、このとき、浄水を停止し、膜モジュールの２回目の洗浄を行う。２回目の膜モジュール洗浄の所定時間は第２時間であり、第２時間はｔＢで表示する。時間点Ａは膜モジュールの１つの動作サイクルを２つに分けた境界であり、このうち、第１段階の浄水過程において、Ａ点の膜通過量が最低であり、第２段階の浄水過程において、Ｂ点の膜通過量が最低である。好ましくは、Ａ点の膜通過量をＢ点の膜通過量より低く、または等しく設定することができ、これにより膜モジュールを速やかに洗浄できることを保証する。膜モジュールに汚れが残ることにより、汚れが詰まり、浄水装置の浄水効果に影響を及ぼすのを防止する。
【００３５】
さらに、上記方法において、浄水装置の浄水時、膜モジュールの膜通過量を自動的に測定して取得し、さらに膜通過量値を１つ予め設定するが、これを、浄水装置の浄水時、膜モジュールの出水端における水流の流速を自動的に測定して取得し、さらに水流の流速値を１つ予め設定するように代えることもできる。水流の流速が所定の水流の流速値まで低下したことを自動的に検出したとき、時間点Ａと示され、このとき、循環ろ過を一時停止し、膜モジュールを洗浄する。
【００３６】
さらに、上記方法において、洗濯水の汚濁度値を１つ予め設定する。該汚濁度の所定値は、浄水装置が１サイクル動作する過程で、膜モジュールに２回以上の詰まりが生じないことを保証するものである。好ましくは、該汚濁度の所定値は、浄水装置が１サイクル動作する過程で、膜モジュールの膜通過量が、Ａ点の膜通過量値より２回以上低くならないことを保証するものである。洗濯完了後、洗濯水の汚濁度を測定し、汚濁度が所定値より高いとき、洗濯水を交換する。上記方法により、膜モジュールをより充分に洗浄できる。
【００３７】
実施例２
図１〜３に示すように、本発明の実施例のさらに好ましい方式として、上記実施方式を基にすると、第１時間ｔＡは第２時間ｔＢより長いか、または等しく、好ましくは、ｔＡおよびｔＢの関係はｔＡ＝２ｔＢである。これは、時間点Ａより前の第１段階の浄水過程において、膜モジュールがろ過する洗濯水の汚れは比較的多く、ろ過の進行に伴って、洗濯水中の汚れは次第にろ過されて減少するため、汚れが膜モジュールに蓄積するのは、主に時間点Ａより前の第１段階の浄水過程に集中するためである。そのためｔＡの設定時間は比較的長く、膜モジュールの汚れを充分に洗い流すことができ、膜モジュールの性能をより効果的に保守する。他に、ｔＢの設定時間は比較的短く、水資源の浪費を効果的に防止することができ、膜モジュールの洗浄効果を達成するのと同時に、水の使用がより少ない。
【００３８】
さらに、浄水装置が１サイクル動作する第３時間はｔで表示する。ｔＡおよびｔＢは、いずれも浄水装置が１サイクル動作する時間ｔに基づいて設定し、好ましくは、ｔＡおよびｔＢとｔとの関係はｔ＝４０ｔＡ＝８０ｔＢである。上記時間関係は、多くの実験、測定をまとめて得られたものであり、上記時間関係は膜モジュールを洗浄、保守するのに最も適した時間の比率である。膜モジュールを洗浄する効果を達成するのと同時に、より節水することができる。
【００３９】
実施例３
図４に示すように、上記実施方式を基にして、本発明の実施例で提供する上記浄水洗濯機における浄水装置の保守方法を採用した洗濯機は、洗濯ドラム、循環水管路、排水管路および膜モジュールを含む。膜モジュールは取水口、出口および汚水口を有し、膜モジュールは取水口および出口を介して循環水管路に接続され、膜モジュールは汚水口を介して排水管路に接続される（図示せず）。このうち、膜モジュールに、取水して膜モジュールを洗浄する水洗口がさらに設置され、水洗口は洗濯ドラムの取水口と連通する。膜モジュールは特別に設置した水洗口を採用して洗浄するため、水洗口および出口は同一の口を共用しない。このような設置は、一方では膜モジュールの洗浄効果を良好にし、もう一方では膜モジュールを洗浄する。
【００４０】
さらに、本発明の実施例に記載する洗濯機は、膜モジュールの出口に、膜モジュールの膜通過量を自動的に測定する流量監視装置（図示せず）が取り付けられる。
【００４１】
さらに、本発明の実施例に記載する洗濯機は、洗濯水を測定する汚濁度測定装置（図示せず）をさらに含む。洗濯水の汚濁度が所定値より高い場合、洗濯水は膜モジュールを通さず、洗濯機外に直接排出する。
【００４２】
さらに、本発明の実施例に記載する洗濯機は、制御装置（図示せず）をさらに含む。制御装置は、膜通過量データおよび洗濯水の汚濁度データを受信し、膜モジュールの膜通過量が所定値より低いとき、浄水装置が浄水を停止するように制御し、洗濯ドラムの取水口から膜モジュールに向かって洗浄水が流入するように制御し、浄水装置が１サイクル動作すると、浄水装置が浄水を停止するように制御し、洗浄水が膜モジュールに流入するように制御する。
【００４３】
浄水装置の浄水時、循環水管路と接続する取水口１および出口４は開き、水洗口２および汚水口３は閉じる。洗濯水が取水口１を通過して膜モジュールに進入し、膜モジュールは洗濯水をろ過し、ろ過された洗濯水は出口４を介して洗濯ドラムに進入する。浄水装置が洗浄コマンドを受信したとき、浄水を一時停止し、取水口１および出口４は閉じ、水洗口２および汚水口３が開く。洗濯水の取水口および水洗口１を連通し、きれいな洗浄水が膜モジュールを洗い流すように制御し、洗浄して出た汚れは、排水管路に接続された汚水口３から排出される。膜モジュールの洗浄が終了すると、取水口１および出口４は開き、水洗口２および汚水口３は閉じる。
【００４４】
本発明の浄水洗濯機における浄水装置の保守方法は、次の通りである。浄水装置が浄水コマンドを受信すると、膜モジュールを起動して洗濯水をろ過する。浄水過程で膜モジュールの膜通過量を測定し、膜通過量が所定値まで低下したとき、膜モジュールはろ過を停止し、浄水を停止する。膜モジュールを洗浄する洗浄水が、膜モジュールに設けた水洗口から膜モジュールに流入し、膜モジュールのろ過膜を妨げる汚れを除去する。洗浄水を流入させて膜モジュールを洗浄する時間は、浄水装置が１サイクル動作する時間に基づいて予め設定する。洗浄が終了すると、膜モジュールは再度起動し、洗濯水をろ過する。浄水装置が１サイクル動作すると、膜モジュールはろ過を停止し、再度洗浄水を流入させて膜モジュールを洗浄する。この洗浄時間も、浄水装置が１サイクル動作する時間に基づいて予め設定する。
【００４５】
本発明は、浄水洗濯機における浄水装置の保守方法およびその洗濯機を提供する。浄水洗濯機中のろ過膜モジュールを速やかに洗浄し、さらに、ろ過膜モジュールの洗浄方法を簡略化し、ろ過膜モジュールの洗浄に使用する水を節約し、浄水洗濯機の生産コストを低下させる。
【００４６】
説明する必要があることとして、上記実施例中の実施案はさらに組み合わせるか、または置換することができ、また実施例は本発明の好ましい実施例を説明したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４７】
１  取水口
２  水洗口
３  汚水口
４  出口
【図１】
2018533413.tif 000003
【図２】
2018533413.tif 000004
【図３】
2018533413.tif 000005
【図４】
2018533413.tif 000006
【国際調査報告】
2018533413.tif 000007
2018533413.tif 000008
2018533413.tif 000009
2018533413.tif 000010